(57)【要約】【課題】従来、壁紙画像は予めコンピューター内に保存しておかなければいけなかった。したがって面倒でデータ保存領域を費やした。ネットワークを介して画像を自動的に取得し、壁紙として登録する壁紙システムを提供する。【解決手段】一括して画像を保管するリモートコンピューター（１）を持ち、クライアントコンピューター（３）から自動的にリモートコンピュータより画像を取得し、壁紙登録する機能を持つことを特徴とする。【選択図】　図１
2004094905.tif 000002
【特許請求の範囲】
【請求項１】
ネットワークを介してコンピューター用画像データを取得し、
取得した画像データをコンピューターの壁紙として登録し、画面に表示する壁紙システム。
【発明の詳細な説明】
【発明の属する技術分野】
この発明はコンピューター（主にパーソナルコンピューター）の壁紙（デスクトップ画面の背景となる画像）に関するものである。
【発明が解決しようとする課題】
従来、壁紙はコンピューター内にあらかじめ保存された画像を使用するものであった。その為あらかじめ、画像を収集してコンピューター内に保存する必要があり、「手間がかかる」、「コンピューターのデータ保存領域を費やす」といった不便な点があった。
従来からある壁紙ツール等と呼ばれる壁紙に関するソフトウェアも、あらかじめコンピューター内に保存された画像を壁紙として自動的に登録するのみで、上記の不便な点は依然解消されていなかった。
【課題を解決するための手段】
本発明は、この不便性を解消し、利便性を向上するために発明されたもので、これを図面について説明すれば、図１に示すようにリモートコンピューター（１）とネットワーク（２）とクライアントコンピューター（３）からなるものである。
クライアントコンピューター（３）は壁紙設定時にネットワーク（２）を介してリモートコンピューター（１）に画像データを返すよう要求を送る。リモートコンピューター（１）は保持している画像データの一つを選び、クライアントコンピューター（３）にその画像データを送信する。クライアントコンピューター（３）はこの画像データを受信し、自身の壁紙画像として登録する。
リモートコンピューター（１）には多くの画像を一括して保管しておき、ネットワーク（２）を介して複数のクライアントコンピューター（３）で共有してアクセスできるようにする。
【発明の実施の形態】
以下、本発明に係る壁紙システムの一実施形態につき、添付の図２〜５を参照して説明する。
図２はシステム構成の詳細を示している。まず、リモートコンピューター（１）はハードウェア本体とクライアントコンピューター（３）からの要求に応答して画像を返信するソフトウェアからなる。ソフトウェアは汎用的なＷＷＷサーバー（１ａ）・ＤＢサーバー（１ｂ）及びＷＷＷサーバー（１ａ）上で動作するＣＧＩアプリケーション（１ｃ）からなる。クライアントコンピューター（３）はハードウェア（パソコン）本体とリモートコンピューター（１）に要求を送信して画像を受信するクライアントソフトウェア（３ａ）、クライアントコンピューター（３）内での管理を行うクライアントソフトウェア（３ｂ）からなる。クライアントソフトウェア（３ａ及び３ｂ）は標準的にパソコンのＯＳ（Ｏｐｅｒａｔｉｎｇ　Ｓｙｓｔｅｍ）に装備されているＤＬＬ（Ｄｙｎａｍｉｃ　Ｌｉｎｋ
Ｌｉｂｒａｒｙ）と呼ばれる共通モジュールを利用する。
図３はデータフロー図（コンピューターシステムにおけるデータの流れを表現したもの）である。以下、図３に沿って処理を説明する。
まず利用者は、クライアントソフトウェア（３ｂ）を起動し、そのＧＵＩ画面（図４）から管理情報を登録・保存する。管理情報はリモートコンピューターの所在を表すＵＲＬ、クライアントソフトウェア（３ａ）の起動タイミング等である。
次に、登録された起動タイミングでクライアントソフトウェア（３ａ）が起動されて処理が自動的に始まる。
クライアントソフトウェア（３ａ）が起動されると、まず要求発信処理が開始され登録されている管理情報を元にリモートコンピューター（１）に対して要求をｈｔｔｐプロトコルを使用して送信する。するとリモートコンピューター（１）上のＣＧＩアプリケーション（１ｃ）内の要求受信処理はこの要求データを受け取り、画像選択処理に進む。画像選択処理では要求データを元にＤＢサーバー（１ｂ）を検索し、適切な画像を選択し、画像加工処理に渡す。画像加工処理では画像圧縮方式の変換等の加工処理を行い、画像送信処理に進む。画像送信処理ではクライアントコンピューター（３）に画像データをｈｔｔｐプロトコルを使用して送信する。するとクランアントソフトウェア（３ａ）の画像受信処理が画像データを受信する。画像受信処理はコンピューターの一時データ保存領域にデータを格納し、壁紙登録処理に渡す。壁紙登録処理は該当画像データを壁紙情報が保持されているレジストリ（ＯＳの管理情報）に登録するようにＤＬＬに命令する。ＤＬＬは該当画像データを登録し、クライアントコンピューター（３）のデスクトップ画面の背景にリモートコンピューター（１）から取得した画像データが表示される。
【発明の効果】
リモートコンピューター（１）に多くの画像を一括して保管しておき、複数のクライアントコンピューター（３）で共有してアクセスするようにしておくことで各クライアントコンピューター（３）の利用者はあらかじめ画像を収集してクライアントコンピューター（３）内に保存するという面倒を踏む必要がなくなる。
画像が自動的に取得されて壁紙として表示されるため、より手軽に沢山の画像を楽しむことが可能になる。
なお、以下の工夫を行うことでより利便性の高いシステムとなる。
▲１▼リモートコンピューター（１）をインターネットに接続し、クライアントコンピューター（３）からインターネットをネットワーク（２）として利用し、アクセスできるようにすることで、より広く多くの利用者がリモートコンピューター（１）を共有でき、そこに保管される画像を利用することができる。
▲２▼クライアントコンピューター（３）からリモートコンピューター（１）に要求を送る際に希望する画像種別（風景、動物、有名人、車等）も送り、リモートコンピューター（１）ではその希望の画像種別の画像データを送信することで、クライアントコンピューター（３）の利用者は自分の嗜好に合った画像を楽しむことができる。
▲３▼リモートコンピューター（１）から画像データ送信する際に、送信画像データに画像処理を施し、広告画像・株価グラフ画像等の情報を持つ画像データを埋め込むことで、情報提供機能を果たすことができる。
【図面の簡単な説明】
【図１】本発明のシステム構成概要図である。
【図２】本発明のシステム構成詳細図である。
【図３】本発明のデータフロー図である。
【図３】本発明のクライアントソフトウェア（３ｂ）のＧＵＩ画面イメージである。
【符号の説明】
（１）はリモートコンピューター
（１ａ）はＷＷＷサーバー
（１ｂ）はＤＢサーバー
（１ｃ）はＣＧＩアプリケーション
（２）はネットワーク
（３）はクライアントコンピューター
（３ａ）はクライアントソフトウェア（壁紙設定）
（３ｂ）はクライアントソフトウェア（管理）
【図１】
2004094905.tif 000003
【図２】
2004094905.tif 000004
【図３】
2004094905.tif 000005
【図４】
2004094905.tif 000006
【手続補正書】
【提出日】平成14年12月16日(2002.12.16)
【手続補正２】
【補正対象書類名】明細書
【補正対象項目名】図面の簡単な説明
【補正方法】変更
【補正の内容】
【図面の簡単な説明】
【図１】本発明のシステム構成概要図である。
【図２】本発明のシステム構成詳細図である。
【図３】本発明のデータフロー図である。
【図４】本発明のクライアントソフトウェア（３ｂ）のＧＵＩ画面イメージである。
【符号の説明】
（１）はリモートコンピューター
（１ａ）はＷＷＷサーバー
（１ｂ）はＤＢサーバー
（１ｃ）はＣＧＩアプリケーション
（２）はネットワーク
（３）はクライアントコンピューター
（３ａ）はクライアントソフトウェア（壁紙設定）
（３ｂ）はクライアントソフトウェア（管理）